(57)【要約】      （修正有）【課題】簡単な構成、及び簡単な作業で縦梁金属管及び横梁金属管を連結できる太陽電池パネル支持架台を提供する。【解決手段】複数の支柱金属管間に縦梁金属管及び横梁金属管を架設する。各支柱金属管の管軸上端に管継手Ｘを固定する。各管継手Ｘは、縦梁金属管の１又は２本及び横梁金属管の１又は２本を連結する。各管継手Ｘは、複数の管収容空間Ｕ内に縦梁金属管の管軸端側及び横梁金属管の管軸端側を収納し、締結ボルト３及び締結ナット４で各管挟持部６，２６を締付けて、各管挟持部６，２６にて縦梁金属管及び横金属管を挟持する構成である。【選択図】図１
0003195363.tif 000002
【実用新案登録請求の範囲】
【請求項１】
耕作地又は耕作放棄地に立設され、複数列及び複数行に配置される複数の支柱金属管と、
前記各列にて隣設する前記支柱金属管間に架設される複数の縦梁金属管と、
前記各行にて隣設する前記支柱金属管間に架設される複数の横梁金属管と、
前記各支柱金属管の管上端部に固定され、前記縦梁金属管の１又は２本、及び前記横梁金属管の１又は２本を連結する複数の管継手と、
隣設する前記各縦梁金属管間に並列され、当該各縦梁金属管間にて隣設する前記各横梁金属管間に架設する複数の固定金属管と、
前記各固定金属管を隣設する前記各横溝金属管に固定する複数の管クランプと、
前記各パネル固定金属管に固定される複数の太陽電池パネルと、
を含んで構成され、
前記各固定金属管は、隣設する前記各太陽電池パネル間に射光間隔を隔てて前記各縦梁金属管間に並列される太陽電池パネル支持架台であって、
前記各管継手は、
一対の管挟持金具、複数の締結ボルト及び複数の締結ナットを含んで構成され、
前記各管挟持金具は、
平面端面を有し、前記縦梁金属管の管端及び前記横梁金属の管端を当接する管止部と、
前記管止部に共通な前記平面端面を有し、前記管止部周りに等間隔を隔てて配置され、及び前記管止部から延在する４つの管挟持部と、
前記各管挟持部間に配置され、前記管止部に共通な前記平面端面を有して前記各管挟持部に固定される４つのフランジ平板部と、
前記各管挟持部に形成され、前記管挟持部の前記平面端面に開口し、及び前記管止部から前記管挟持部の延在方向に延びて前記管挟持部を貫通する４つの管溝部と、
を備え、
前記各管挟持金具間にて前記各管溝部同士を溝開口から対峙して、前記縦梁金属管の管端部及び前記横梁金属管の管端部を収納する４つの管収納空間を区画し、
前記各管挟持金具間にて前記各管挟持部の前記平面端面同士、前記各管止部の前記平面端面同士、前記各フランジ平板の前記平面端面同士を対峙して、前記各管溝部の溝内周面を前記縦梁金属管外周又は前記横梁金属外周に当接し、及び前記平面端面間に隙間を形成して、前記縦梁金属管及び前記横梁金属管を連結自在に配置され、
前記各締結ボルトは、
前記連結自在に配置した前記各管挟持金具にて、前記管止部周りの前記各管挟持部間に配置され、前記各管挟持金具間にて前記各フランジ平板部を貫通し、
前記各締結ナットは、
前記各フランジ平板部を貫通した前記各締結ボルトに螺着され、
前記各管挟持部は、
前記各締結ボルト及び前記締結ナットで締付けられ、前記各管収納空間内の前記縦梁金属管及び前記横梁金属管を挟持する
ことを特徴とする太陽電池パネル支持架台。
【請求項２】
一方の前記管挟持金具は、継手連結穴を備え、
他方の前記管挟持金具は、継手連結突起を備え、
前記継手連結穴は、前記管挟持金具の一方にて前記管止部に形成され、及び前記管止部の前記平面端面に開口し、
前記継手連結突起は、前記管挟持金具の他方にて前記管止部に形成され、及び前記継手連結自在に配置した前記各管挟持金具にて前記連結穴に挿入される
ことを特徴とする請求項１に記載の太陽電池パネル支持架台。
【請求項３】
一方の前記管挟持金具は、継手固定突起部を備え、
前記継手固定突起部は、前記管挟持金具の一方にて前記管止部に形成され、前記支柱金属管の管上端から前記支柱金属管内に挿入される
ことを特徴とする請求項１又は２に記載の太陽電池パネル支持架台。
【請求項４】
固定ボルト、及び固定ナットを備え、
前記固定ボルトは、前記支柱金属管及び前記支柱金属管内の前記継手固定突起部を貫通し、
前記固定ナットは、前記支柱金属管及び前記継手固定突起部を貫通した前記固定ボルトに螺着される
ことを特徴とする請求項３に記載の太陽電池パネル支持架台。
【請求項５】
前記各管クランプは、
台座平板と、
前記台座平板裏面にて前記台座平板に固定され、前記横梁金属管を把持する横梁管クランプ金具と、
前記台座平板表面にて前記台座平板に固定され、前記横梁金属管の管軸心線に直交する両側で隣設する前記各固定金属管を把持する一対の固定管クランプ金具と、
を備えてなる
ことを特徴とする請求項１乃至４の何れかに記載の太陽電池パネル支持架台。
【請求項６】
前記管クランプにおいて、前記各管クランプ金具は、
前記縦梁金属管、又は前記横梁金属管を挿通する管挿入穴を有し、
前記横梁管クランプ金具は、
前記管挿入穴の穴中心線を、前記各固定管クランプ金具の前記管挿入穴の穴中心線に直交して、前記台座平板に固定され、
前記各固定管クランプ金具は、
前記管挿入穴の穴中心線を一致して、前記台座平板に固定される
ことを特徴とする請求項５に記載の太陽電池パネル支持架台。
【請求項７】
一対の管挟持金具、複数の締結ボルト及び複数の締結ナットを含んで構成され、太陽電池パネル支持架台の梁金属管を複数連結する管継手であって、
前記各管挟持金具は、
平面端面を有し、前記梁金属管の管端を当接する管止部と、
前記管止部に共通な前記平面端面を有し、前記管止部周りに等間隔を隔てて配置され、及び前記管止部から延在する複数の管挟持部と、
前記各管挟持部間に配置され、前記管止部に共通な前記平面端部を有して前記各管挟持部に固定される複数のフランジ平板部と、
前記各管挟持部に形成され、前記管挟持部の前記平板端面に開口し、及び前記管止部から前記管挟持部の延在方向に延びて前記管挟持部を貫通する複数の管溝部と、
を備え、
前記各管挟持金具間にて前記各管溝部同士を溝開口から対して、前記梁金属管の管端側を収納する複数の管収容空間を区画し、
前記各管挟持金具間にて前記各管挟持部の前記平面端面同士、前記各管止部の前記平面端面同士、前記各フランジ平板部の前記平面端面同士を対峙して、前記各管溝部の溝内周面を前記梁金属管外周に当接し、及び前記平面端面間に隙間を形成して、前記梁金属管を連連結自在に配置され、
前記各締結ボルトは、
前記連結自在に配置した前記各管挟持金具にて、前記管止部周りの前記管挟持部間に配置され、前記各管挟持金具間にて前記各フランジ平板部を貫通し、
前記各締結ナットは、
前記各フランジ平板部を貫通した前記各締結ボルトに螺着され、
前記各管挟持部は、
前記各締結ボルト及び前記各締結ナットで締付けられ、前記各管収納空間内の前記梁金属管を挟持する
ことを特徴とする管継手。
【請求項８】
一方の前記管挟持金具は、継手連結穴を備え、
他方の前記管挟持金具は、継手連結突起を備え、
前記継手連結穴は、前記管挟持金具の一方にて前記管止部に形成され、前記管止部の前記平面端面に開口し、
前記継手連結突起は、前記管挟持金具の他方にて前記管止部に形成され、及び前記連結自在に配置した前記各管挟持金具にて前記継手連結穴に挿入される
ことを特徴とする請求項７に記載の管継手。
【請求項９】
一方の前記管挟持金具にて、前記各管溝部は
前記延在方向に直交する断面を四角形の形状に形成し、
他方の前記管挟持金具にて、前記各管溝部は、
前記延在方向に直交する断面を半円形の形状に形成し
前記各梁金属管は、
当該梁金属管の管軸心線に直交する断面を、前記四角形及び前記半円形の連続する形状に形成し、
前記連結自在に配置した前記各管挟持金具にて、
一方の前記管挟持金具は、前記各管溝部の四角形溝内周面を前記各梁金属管の四角形管外周に当接し、及び他方の前記管挟持金具は、前記各管溝部の半円形溝内周面を前記各梁金属管の半円形管外周に当接する
ことを特徴とする請求項７又は８に記載の管継手。
【考案の詳細な説明】
【技術分野】
【０００１】
本考案は、耕作地又は耕作放棄地等のフィールドに架設される太陽電池パネル支持架設台、及び太陽電池パネル支持架設台の梁金属管を複数連結する管継手に関する。
【背景技術】
【０００２】
今般、耕作地において、農作物による収益に加えて、耕作地に太陽電池パネルを架設して発電電力にて収益を得ることが進められている（「ソーラシェアリングシステム」という）。
太陽電池パネルを耕作地に架設する技術として、特許文献１は、架台及び受具を備える太陽光発電装置を開示する。架台は、複数の支柱及び副支柱を耕作地に立設し、各支柱間に主梁を架設し、また支柱及び副支柱間、副支柱間に縦梁及び横梁を架設する。各主梁、各縦梁及び各横梁は、複数のボルト等にて各支柱又は各副支柱に連結固定される。特許文献１では、架台上に複数の受具を取付け、各受具で太陽電池パネルを支持する。
【先行技術文献】
【特許文献】
【０００３】
【特許文献１】特開２０１３−１７５５２０号公報
【考案の概要】
【考案が解決しようとする課題】
【０００４】
特許文献１では、架台を構成する主梁、縦梁及び横梁を連結板及び複数のボルトを使用して連結するので、架台構造が複雑になり、架台施設にも時間を要する。
【０００５】
本考案は、簡単な構成で複数の梁金属管を連結できる太陽電池パネル支持架台、及び管継手を提供することにある。
【課題を解決するための手段】
【０００６】
本考案に係る請求項１は、耕作地又は耕作放棄地に立設され、複数列及び複数行に配置される複数の支柱金属管と、前記各列にて隣設する前記各支柱金属管間に架設される複数の縦梁金属管と、前記各行にて隣設する前記各支柱金属管間に架設される複数の横梁金属管と、前記各支柱金属管の管上端部に固定され、前記縦梁金属管の１又は２本、及び前記横梁金属管の１又は２本を連結する複数の管継手と、隣設する前記各縦梁金属管間に並列され、当該各縦梁金属管間にて隣設する前記各横梁金属管間に架設する複数の固定金属管と、前記各固定金属管を隣設する前記各横梁金属管に固定する複数の管クランプと、前記各固定金属管に固定される複数の太陽電池パネルと、を含んで構成され、前記各固定金属管は、隣設する前記各太陽電池パネル間に間隔を隔てて前記各縦梁金属管間に並列される太陽電池パネル支持架台であって、前記各管継手は、一対の管挟持金具、複数の締結ボルト及び複数の締結ナットを含んで構成され、前記各管挟持金具は、平面端面を有し、前記縦梁金属管の管端及び前記横梁金属管の管端を当接する管止部と、前記管止部に共通な前記平面端面を有し、前記管止部周りに等間隔を隔てて配置され、及び前記管止部から延在する４つの管挟持部と、前記各管挟持部間に配置され、前記管止部に共通な前記平面端面を有して前記各管挟持部に固定される４つのフランジ平板部と、前記各管挟持部に形成され、前記管挟持部の前記平面端面に開口し、及び前記管止部から前記管挟持部の延在方向に延びて前記管挟持部を貫通する４つの管溝部と、を備え、前記各管挟持金具間にて前記各管溝部同士を溝開口から対峙して、前記縦梁金属管の管端部及び前記横梁金属管の管端部を収納する４つの管収納空間を区画し、前記各管挟持金具間にて前記各管挟持部の前記平面端面同士、前記管止部の前記平面端面同士、前記各フランジ平板部の前記平面端面同士を対峙して、前記各管溝部の溝内周面を前記縦梁金属管外周又は前記横梁金属管外周に当接し、及び前記各平面端面間に隙間を形成して、前記縦梁金属管及び前記横梁金属管を連結自在に配置され、前記各締結ボルトは、前記連結自在に配置した前記各管挟持金具にて、前記管止部周りの前記各管挟持部間に配置され、前記各管挟持金具間にて前記各フランジ平板部を貫通し、前記各締結ナットは、前記各フランジ平板部を貫通した前記各締結ボルトに螺着され、前記各管挟持部は、前記各締結ボルト及び前記各締結ナットで締付けられ、前記各管収納空間内の前記縦梁金属管及び前記横梁金属管を挟持することを特徴とする太陽電池パネル支持架台である。
【０００７】
本考案に係る請求項２は、一方の前記管挟持金具は、継手連結穴を備え、他方の前記管挟持金具は、継手連結突起を備え、前記継手連結穴は、前記管挟持金具の一方にて前記管止部に形成され、前記管止部の前記平面端面に開口し、前記継手連結突起は、前記管挟持金具の他方にて前記管止部に形成され、及び前記連結自在に配置した前記各管挟持金具にて前記継手連結穴に挿入されることを特徴とする請求項１に記載の太陽電池パネル支持架台である。
【０００８】
本考案に係る請求項３は、一方の前記管挟持金具は、継手固定突起部を備え、前記継手固定突起部は、前記管挟持金具の一方にて前記管止部に形成され、前記支柱金属管の管上端から前記支柱金属管内に挿入されることを特徴とする請求項１又は２に記載の太陽電池パネル支持架台である。
【０００９】
本考案に係る請求項４は、固定ボルト、及び固定ナットを備え、前記固定ボルトは、前記支柱金属管及び前記支柱金属管内の前記継手固定突起部を貫通し、前記固定ナットは、前記支柱金属管及び前記継手固定突起部を貫通した前記固定ボルトに螺着されることを特徴とする請求項３に記載の太陽電池パネル支持架台である。
【００１０】
本考案に係る請求項５は、前記各管クランプは、台座平板と、前記台座平板裏面にて前記台座平板に固定され、前記横梁金属管を把持する横梁管クランプ金具と、前記台座平板表面にて前記台座平板に固定され、前記横梁金属管の管軸心線に直交する両側で隣設する前記各固定金属管を把持する一対の固定管クランプ金具と、を備えてなることを特徴とする請求項１乃至４の何れかに記載の太陽電池パネル支持架台である。
【００１１】
本考案に係る請求項６は、前記管クランプにおいて、前記各管クランプ金具は、前記縦梁金属管、又は前記横梁金属管を挿通する管挿入穴を有し、前記横梁管クランプ金具は、前記管挿入穴の穴中心線を、前記各固定管クランプ金具の前記管挿入穴の穴中心線に直交して、前記台座平板に固定され、前記各固定管クランプ金具は、前記管挿入穴の穴中心線を一致して、前記台座平板に固定されることを特徴とする請求項５に記載の太陽電池パネル支持架台である。
【００１２】
本考案に係る請求項７は、一対の管挟持金具、複数の締結ボルト及び複数の締結ナットを含んで構成され、太陽電池パネル支持架台の梁金属管を複数連結する管継手であって、前記各管挟持金具は、平面端面を有し、前記梁金属管の管端を当接する管止部と、前記管止部に共通な前記平面端面を有し、前記管止部周りに等間隔を隔てて配置され、及び前記管止部から延在する複数の管挟持部と、前記各管挟持部間に配置され、前記管止部に共通な前記平面端面を有して前記各管挟持部に固定される複数のフランジ平板部と、前記各管挟持部に形成され、前記管挟持部の前記平面端面に開口し、及び前記管止部から前記管挟持部の延在方向に延びて前記管挟持部を貫通する複数の管溝部と、を備え、前記各管挟持金具間にて前記各管溝部同士を溝開口から対峙して、前記梁金属管の管端部を収納する複数の管収納空間を区画し、前記各管挟持金具間にて前記各管挟持部の前記平面端面同士、前記各管止部の前記平面端面同士、前記各フランジ平板部の前記平面端面同士を対峙して、前記各管溝部の溝内周面を前記梁金属管外周に当接し、及び前記各平面端面間に隙間を形成して、前記梁金属管を連結自在に配置され、前記各締結ボルトは、前記連結自在に配置した前記各管挟持金具にて、前記管止部周りの前記各管挟持部間に配置され、前記各管挟持金具間にて前記各フランジ平板部を貫通し、前記各締結ナットは、前記各フランジ平板部を貫通した前記各締結ボルトに螺着され、前記各管挟持部は、前記各締結ボルト及び前記各締結ナットにて締付けられ、前記各管収納空間内の前記梁金属管を挟持することを特徴とする管継手である。
【００１３】
本考案に係る請求項８は、一方の前記管挟持金具は、継手連結穴を備え、他方の前記管挟持金具は、継手連結突起を備え、前記継手連結穴は、前記管挟持金具の一方にて前記管止部に形成され、前記管止部の前記平面端面に開口し、前記継手連結突起は、前記管挟持金具の他方にて前記管止部に形成され、及び前記連結自在に配置した前記各管挟持金具にて前記継手連結穴に挿入されることを特徴とする請求項７に記載の管継手である。
【００１４】
本考案に係る請求項９は、一方の前記管挟持金具にて、前記各管溝部は、前記延在方向に直交する断面を四角形の形状に形成し、他方の前記管挟持金具にて、前記各管溝部は、前記延在方向に直交する断面を半円形の形状に形成し、前記各梁金属管は、当該梁金属管の管軸心線に直交する断面を、前記四角形及び前記半円形の連続する形状に形成し、前記連結自在に配置した前記各管挟持金具にて、一方の前記管挟持金具は、前記各管溝部の四角形溝内周面を前記梁金属管の四角形管外周に当接し、及び他方の前記管挟持金具は、前記各管溝部の半円形溝内周面を前記梁金属管の半円形管外周に当接することを特徴とする請求項７又は８に記載の管継手である。
【考案の効果】
【００１５】
本考案に係る請求項１では、管継手において、縦梁金属管の１又は２本、及び横梁金属管の１又は２本を各管収納空間内に配置（収納）し、及び締結ボルト及び締結ナットで各管挟持部を締付けることで、各管収納空間内の縦梁金属管及び横梁金属管を管挟持部で挟持して、縦梁金属管及び横梁金属管を連結でき、簡単な構成、及び簡単な作業にて縦梁金属管及び横梁金属管を連結することが可能となる。
【００１６】
本考案に係る請求項２では、請求項１の効果に加えて、一方の管挟持金具の継手連結穴に他方の管挟持金具の継手連結突起を挿入することで、各管挟持金具を連結できる。
【００１７】
本考案に係る請求項３では、請求項１又な２の効果に加えて、一方の管挟持金具の継手固定突起部を支柱金属管内に挿入することで、管継手を支柱金属管の管上端部に配置できる。
【００１８】
本考案に係る請求項４では、請求項３の効果に加えて、管継手において、一方の管挟持金具を固定ボルト及び固定ナットにて支柱金属管の管上端部に固定できる。
【００１９】
本考案に係る請求項５では、請求項１乃至４の効果に加えて、管クランプにて２本の固定金属管を横梁金属管に固定できる。
【００２０】
本考案に係る請求項６では、請求項５の効果に加えて、各横梁金属管の管軸心線に直交する方向にて、横梁金属管を境にして隣設する固定金属管の管軸心線を一致して、各固定金属管を直列配置できる。これにより、固定金属管から同一高さにして、各太陽電池パネルを各固定金属管に固定できる（各太陽電池パネルは、隣設する太陽電池パネルにて太陽光を遮られない）。
【００２１】
本考案に係る請求項７では、梁金属管の複数を各管収納空間内に配置（収納）し、及び締結ボルト及び締結ナットで各管挟持部を締付けることで、各管収納空間内の梁金属管を管挟持部で挟持して、梁金属管を連結でき、簡単な構成、及び簡単な作業にて梁金属管を連結することが可能となる。
【００２２】
本考案に係る請求項８では、請求項７の効果に加えて、一方の管挟持金具の継手連結穴に他方の管挟持金具の継手連結突起を挿入することで、各管挟持金具を連結できる。
【００２３】
本考案に係る請求項９では、請求項７又は８の効果に加えて、一方の管挟持金具において、各管溝部の溝断面を四角形の形状に形成することで、四角形管断面を有する梁金属管を管軸心線周りに回転することなく挟持できる。
【００２４】
本考案の係る請求項１及び７では、一方の管挟持金具の管溝部と他方の管挟持金具の管溝部は、各管溝部の延在方向に直交する方向において、平面端面からの溝深さの合計値を梁金属管（縦梁金属管、横梁金属管）の外形寸法より小さくして、連結自在に配置した各管挟持金具にて、各平面端面間に隙間を形成する構成を採用できる。
【図面の簡単な説明】
【００２５】
【図１】管継手を示す図であって、（ａ）は上面図、（ｂ）は図１（ａ）のＡ−Ａ矢視図である。
【図２】図１（ｂ）の要部拡大図である。
【図３】管挟持金具（下側管挟持金具）を示す図であって、（ａ）は上面図、（ｂ）は下面図である。
【図４】管挟持金具（下側管挟持金具）を示す図であって、（ａ）は図３（ａ）のＢ−Ｂ矢視図、（ｂ）は図４（ａ）の要部拡大図、（ｃ）は図３（ａ）のＣ−Ｃ断面図である。
【図５】管挟持金具（上側管挟持金具）を示す図であって、（ａ）は上面図、（ｂ）は下面図である。
【図６】管挟持金具（上側管挟持金具）を示す図であって、（ａ）は図５（ａ）のＤ−Ｄ矢視図、（ｂ）は図６（ａ）の要部拡大図、（ｃ）は図５（ａ）のＥ−Ｅ断面図である。
【図７】各梁金属管を管挟持金具（下側管挟持金具）にて支持した図であって、（ａ）は上面図、（ｂ）は図７（ａ）のＦ−Ｆ矢視図、（ｃ）は図７（ａ）のＧ−Ｇ断面図である。
【図８】管継手にて各梁金属管を連結した図であって、（ａ）は上面図、（ｂ）は図８（ａ）のＨ−Ｈ断面図である。
【図９】管継手にて各梁金属管を連結した図であって、（ａ）は図８（ａ）のＩ−Ｉ矢視図、（ｂ）は図９（ａ）の要部拡大図である。
【図１０】他の実施形態の管継手を示す図であって、（ａ）は上面図、（ｂ）は図１０（ａ）のＪ−Ｊ矢視図である。
【図１１】図１０（ｂ）の要部拡大図である。
【図１２】他の実施形態の管継手において、管挟持金具（上側管挟持金具）を示す図であって、（ａ）は側面図、（ｂ）は図１２（ａ）の要部拡大図及び梁金属管の拡大図、（ｃ）は断面図である。
【図１３】太陽電池パネル支持架台を示す上面図である。
【図１４】太陽電池パネル支持架台を示す図であって、図１３のＫ−Ｋ矢視図（太陽電池パネル支持架台の側面図）である。
【図１５】太陽電池パネル支持架台を示す図であって、図１３のＬ−Ｌ矢視図（太陽電池パネル支持架台の側面図）である。
【図１６】管クランプを示す図であって、（ａ）は正面図、（ｂ）は図１６（ａ）のＬ−Ｌ矢視図、（ｃ）は図１６（ａ）のＭ−Ｍ矢視図である。
【図１７】太陽電池パネルを示す上面図である。
【図１８】太陽電池パネルを示す図であって、（ａ）は図１７のＮ−Ｎ矢視図、（ｂ）は図１８（ａ）のＯ−Ｏ矢視図、（ｃ）は図１８（ａ）のＰ−Ｐ矢視図である。
【図１９】支柱金属管及びスクリュ基礎杭を示す要部拡大図である。
【図２０】交差点Ａにおいて、管挟持金具（下側管挟持金具）を支柱金属管に固定し、及び各梁金属管を管挟持金具にて支持した図であって、（ａ）は上面図、（ｂ）は図２０（ａ）のＱ−Ｑ矢視図である。
【図２１】図２０（ａ）のＲ−Ｒ断面図である。
【図２２】交差点Ｂにおいて、管挟持金具（下側管挟持金具）を支柱金属管に固定し、及び各梁金属管を管挟持金具にて支持した図であって、（ａ）は上面図、（ｂ）は図２２（ａ）のＳ−Ｓ矢視図である。
【図２３】交差点Ｃにおいて、管挟持金具（下側管挟持金具）を支柱金属管に固定し、及び各梁金属管を管挟持金具にて支持した図であって、（ａ）は上面図、（ｂ）は図２３（ａ）のＴ−Ｔ矢視図である。
【図２４】交差点Ａにおいて、管継手にて縦梁金属管及び横梁金属管を連結した上面図である。
【図２５】交差点Ａにおいて、管継手にて縦梁金属管及び横梁金属管を連結した図であって、（ａ）は図２４のＵ−Ｕ断面図、（ｂ）は図２４のＶ−Ｖ断面図である。
【図２６】交差点Ｂにおいて、管継手にて縦梁金属管及び横梁金属管を連結した図であって、（ａ）は上面図、（ｂ）は図２６（ａ）のＷ−Ｗ矢視図である。
【図２７】交差点Ｃにおいて、管継手にて縦梁金属管及び横梁金属管を連結した図であって、（ａ）は上面図、（ｂ）は図２７（ａ）のＸ−Ｘ矢視図である。
【図２８】交差点αにおいて、管クランプを横梁金属管に固定し、及び固定金属管を把持した図であって、（ａ）は拡大上面図、（ｂ）は図２８（ａ）のＹ−Ｙ矢視図である。
【図２９】交差点βにおいて、管クランプを横梁金属管に固定し、及び固定金属管を把持した図であって、（ａ）は拡大上面図、（ｂ）は図２９（ａ）のＺ−Ｚ矢視図である。
【図３０】太陽電池パネルを固定金属管に固定した拡大側面図である。
【図３１】図３０のＡＡ−ＡＡ断面図である。
【考案を実施するための形態】
【００２６】
本考案に係る太陽電池パネル支持架台、及び管継手について、図１乃至図３１を参照して説明する。
【００２７】
先ず、本考案に係る管継手について、図１乃至図１２を参照して説明する。
【００２８】
＜管継手（Ｘ）＞
図１乃至図１２において、管継手（Ｘ）は、太陽電池パネル支持架台（Ｙ）の梁金属管（Ｚ）を複数連結する［図１及び図２、図１３乃至図３０参照］。
【００２９】
各梁金属管（Ｚ）は、例えば、汎用される単管（円筒金属管）で構成される。各梁金属管（Ｚ）は、管外直径（Ｄ）として構成される［梁金属管（Ｚ）の管外半径（Ｒ）］。
【００３０】
管継手（Ｘ）は、図１乃至図９に示すように、一対の管挟持金具（１），（２）、複数の締結ボルト（３）、及び複数の締結ナット（４）を含んで構成される。
【００３１】
管挟持金具（１）は、図１乃至図４に示すように、一方の管挟持金具［下側管挟持金具］を構成する。管挟持金具（１）は、管止部（５）、複数（４つ）の管挟持部（６）、複数（４つ）のフランジ平板部（７）、複数（４つ）の管溝部（８）、継手連結穴（９）及び継手固定突起部（１０）を備える。
【００３２】
管止部（５）は、図１乃至図４に示すように、管挟持金具（１）中央に配置される。管止部（５）は、平面端面（１１）を有する。平面端面（１１）は、管止部（５）の継手中心線（ａ）に直交して配置される。
管止部（５）は、平面端面（１１）から継手中心線（ａ）方向に突出される。管止部（５）は、複数（４つ）の管止側平面（１２）を有する。各管止側平面（１２）は、管止部（５）の継手中心線（ａ）周りに等間隔［角度：９０°間隔］を隔てて配置される。
各管止側平面（１２）は、平面端面（１１）に直交し、管止部（５）と同方向に延在される。
管止部（５）は、各管止側平面（１２）に各梁金属管（Ｚ）の管軸端（Ｚａ）又は（Ｚｂ）を当接する。
【００３３】
各管挟持部（６）は、図１乃至図４に示すように、管止部（５）と共通な平面端面（１１）を有し、管止部（５）と同方向［継手中心線（ａ）方向］に突出する。
各管挟持部（６）は、管止部（５）の継手中心線（ａ）周りに等間隔［角度：９０°間隔］を隔てて配置され、各管止側平面（１２）に対峙する。各管挟持部（６）は、管止部（５）に固定される。
各管挟持部（６）は、管止部（５）の継手中心線（ａ）に直交する延在方向において、各管止側平面（１２）から離間しつつ延在される。
これにより、各管挟持部（６）は、管止部（５）の継手中心線（ｃ）を中心に放射十字状に配置される。
【００３４】
各フランジ平板部（７）は、図１乃至図４に示すように、管止部（５）と共通な平面端面（１１）を有し、各管挟持部（６）間に配置される。各フランジ平板部（７）は、各管挟持部（６）に固定される。
各フランジ平板部（７）は、締結穴（１３）を有する。各締結穴（１３）は、各フランジ平板部（７）中央に配置される。
各締結穴（１３）は、管止部（５）の継手中心線（ａ）方向において、各フランジ平板部（７）を貫通する。
【００３５】
各管溝部（８）は、図１乃至図４に示すように、各管挟持部（６）に形成される。各管溝部（８）は、各管挟持部（６）の平面端面（１１）に開口する。
各管溝部（８）は、各管挟持部（６）の延在方向に延びて、各管挟持部（６）を貫通する。
各管挟持部（６）の延在方向において、各管溝部（８）の一方の溝端は、各管止側平面（１２）で閉塞され、各管溝部（８）の他方の溝端は、各管挟持部（６）一端に開口する。
各管溝部（８）において、溝断面は、図４に示すように、例えば、溝内半径（ｒ１）の半円形とする。溝断面は、管止部（５）の継手中心線（ａ）方向の断面である。溝内半径（ｒ１）は、梁金属管（Ｚ）の管外半径（Ｒ）より僅かに大きくする［Ｒ１＞Ｒ］。
各管溝部（８）は、図４に示すように、溝深さ（ｈａ）を有する。溝深さ（ｈａ）は、管止部（５）の継手中心線（ａ）方向において、平面端面（１１）からの深さ（距離）である。溝深さ（ｈａ）は、梁金属管（Ｚ）の管外半径（Ｒ）である。
【００３６】
継手連結穴（９）は、図２乃至図４に示すように、管止部（５）に形成される。継手連結穴（９）は、管止部（５）において、平面端面（１１）に開口する。
継手連結穴（９）は、例えば円形穴に形成され、管止部（５）の継手中心線（ａ）に同心として配置される。継手連結穴（９）は、管止部（５）と同方向［継手中心線（ａ）方向］に延在する。
【００３７】
継手固定突起部（１０）は、図１乃至図４に示すように、管止部（５）に固定される。継手固定突起部（１０）は、例えば、円形突起に形成され、管止部（５）の継手中心線（ａ）に同心として配置される。
継手固定突起部（１０）は、管止部（５）の継手中心線（ａ）方向において、管止部（５）から平面端面（１１）と反対側に突出される。
継手固定突起部（１０）は、空洞穴（１５）及び管連結穴（１６）を有する。空洞穴（１５）は、継手固定突起部（１０）一端に開口する。空洞穴（１５）は、継手中心線（ａ）方向において、管止部（５）側に延在される。
管連結穴（１６）は、継手中心線（ａ）に直交する方向にて継手固定突起部（１０）及び空洞穴（１５）を貫通する。
【００３８】
管挟持金具（２）は、図１、図２、図５及び図６に示すように、他方の管挟持金具［上側管挟持金具］を構成する。管挟持金具（２）は、管止部（２５）、複数（４つ）の管挟持部（２６）、複数（４つ）のフランジ平板部（２７）、複数（４つ）の管溝部（２８）及び継手連結突起（２９）を備える。
【００３９】
管止部（２５）は、図１、図２、図５及び図６に示すように、管挟持金具（１）の管止部（５）と同一構成（構造）である。
管止部（２５）は、管挟持金具（２）中央に配置される。管止部（２５）は、平面端面（３１）を有する。平面端面（３１）は、管止部（２５）の継手中心線（ｂ）に直交して配置される。
管止部（２５）は、平面端面（３１）から継手中心線（ｂ）方向に突出される。管止部（２５）は、複数（４つ）の管止側平面（３２）を有する。各管止側平面（３２）は、管止部（２５）の継手中心線（ｂ）周りに等間隔［角度：９０°間隔］を隔てて配置される。
各管止側平面（３２）は、平面端面（３１）に直交し、管止部（２５）と同方向に延在される。
管止部（２５）は、各管止側平面（３２）に各梁金属管（Ｚ）の管軸端（ＺＡ）又は（ＺＢ）を当接する。
【００４０】
各管挟持部（２６）は、図１、図２、図５及び図６に示すように、管挟持金具（１）の各管挟持部（６）と同一構成である。
各管挟持部（２６）は、管止部（２５）に共通な平面端面（３１）を有し、管止部（２５）と同方向［継手中心線（ｂ）方向］に突出する。
各管挟持部（２６）は、管止部（２５）の継手中心線（ｂ）周りに等間隔［角度：９０°間隔］を隔てて配置され、各管止側平面（３２）に対峙する。各管挟持部（２５）は、管止部（２５）に固定される。
各管挟持部（２６）は、管止部（２５）の継手中心線（ｂ）に直交する延在方向において、各管止側平面（３２）から離間しつつ延在される。
これにより、各管挟持部（２６）は、管止部（２５）の継手中心線（ｂ）を中心に放射十字状に配置される。
【００４１】
各フランジ平板部（２７）は、図１、図２、図５及び図６に示すように、管挟持金具（１）の各フランジ平板部（７）と同一構成である。
各フランジ平板部（２７）は、管止部（２５）に共通な平面端面（３１）を有し、各管挟持部（２６）間に配置される。各フランジ平板部（２７）は、各管挟持部（２６）に固定される。
各フランジ平板部（２７）は、締結穴（３３）を有する。各締結穴（３３）は、各フランジ平板部（２７）中央に配置される。
各締結穴（３３）は、管止部（２５）の継手中心線（ｂ）方向において、各フランジ平板部（２７）を貫通する。
【００４２】
各管溝部（２８）は、図１、図２、図５及び図６に示すように、各管挟持部（２６）に形成される。各管溝部（２８）は、各管挟持部（２６）の平面端面（３１）に開口する。
各管溝部（２８）は、各管挟持部（２６）の延在方向に延びて、各管挟持部（２６）を貫通する。
管挟持部（１６）の延在方向において、各管溝部（２８）の一方の溝端は、各管止側平面（３２）で閉塞され、及び各管溝部（２８）の他方の溝端は、各管挟持部（２６）一端に開口する。
各管溝部（２８）において、溝断面は、例えば、溝内半径（ｒ２）の略半円形とする。溝断面は、管止部（２５）の継手中心線（ｂ）方向の断面である。溝内半径（ｒ２）は、梁金属管（Ｚ）の管外半径（Ｒ）より僅かに大きくする［ｒ２＞Ｒ］。
各管溝部（２８）は、溝深さ（ｈｂ）を有する。溝深さ（ｈｂ）は、管止部（２５）の継手中心線（ｂ）方向において、平面端面（３１）からの深さ（距離）である。溝深さ（ｈｂ）は、梁金属管（Ｚ）の管外半径（Ｒ）より小さくする［ｈｂ＞Ｒ］。
【００４３】
継手連結突起（２９）は、図１、図２、図５及び図６に示すように、管止部（２５）に固定される。継手連結突起（２９）は、例えば円形突起であって、管止部（２５）の継手中心線（ｂ）に同心として配置される。継手連結突起（２９）は、管止部（２５）の継手中心線（b）方向において、平面端面（３１）から離間しつつ突出される。
【００４４】
上記構成の管継手（Ｘ）は、図１及び図２、図７乃至図９に示すように、複数（４本）の梁金属管（Ｚ）を連結する。
【００４５】
管継手（Ｘ）は、図７に示すように、例えば、複数（４本）の梁金属管（Ｚ）を管挟持金具（１）にて支持する。
各梁金属管（Ｚ）は、一方の管端部（ＺＡ）又は（ＺＢ）を各管溝部（８）内に配置する。各管溝部（８）は、溝内周面を梁金属管（Ｚ）外周に当接し、これにより、各管挟持部（６）は一方の管端部（ＺＡ）又は（ＺＢ）を支持する。
各梁金属管（Ｚ）は、一方の管軸端（Ｚａ）又は（Ｚｂ）を管止部（５）の各管止側平面（１２）に当接する。
【００４６】
続いて、管継手（Ｘ）の管挟持金具（２）は、図８及び図９に示すように、管挟持金具（１）上側に配置する。
【００４７】
管継手（Ｘ）は、図８及び図９に示すように、各管挟持金具（１），（２）間にて、各管溝部（８），（２８）同士を対峙する。各管挟持金具（１），（２）間にて、各管溝部（８），（２８）同士は、溝開口から対峙され、各梁金属管（Ｚ）を収納する管収納空間（Ｕ）を区画する。
【００４８】
管継手（Ｘ）は、各管挟持金具（１），（２）間にて、各管止部（５），（２５）の平面端面（１１），（３１）同士、各管挟持部（６），（２６）の平面端面（１１），（３１）同士、各フランジ平板部（７），（２７）の平面端面（１１），（３１）同士を対峙する。
管挟持金具（２）において、各管溝部（２８）は、図８及び図９に示すように、溝内周面を各梁金属管（Ｚ）外周に当接する。
【００４９】
管挟持金具（２）において、継手連結突起（２９）は、図８及び図９に示すように、管挟持金具（１）の継手連結穴（９）に挿入する。
【００５０】
管継手（Ｘ）は、各管挟持金具（１），（２）間にて、各締結穴（１３），（３３）を連通する。各締結穴（１３），（３３）は、各管止部（５），（２５）の継手中心線（ａ），（ｂ）方向にて連通する。
【００５１】
これにより、管継手（Ｘ）は、図９（ｂ）に示すように、各管挟持金具（１），（２）間にて、各平面端面（１１），（３１）間に隙間（γ）を形成して、各梁金属管（Ｚ）を連結自在に配置される。
各梁金属管（Ｚ）は、一方の管端部（ＺＡ）又は（ＺＢ）を各管収納空間（Ｕ）内に収納し、及び一方の管端（Ｚａ）又は（Ｚｂ）を各管止側平面（３２）に当接する。
連結自在に配置した各管挟持金具（１），（２）において、各平面端面（１１），（３１）間に隙間（γ）を形成するには、各管溝部（８），（２８）は、溝深さ（ｈａ），（ｈｂ）の合計値（ｈｔ＝ｈａ＋ｈｂ）を梁金属管（Ｚ）の管外直径（Ｄ）より小さくする［ｈｔ＜Ｄ］。
このことから、各管溝部（８），（２８）の少なくとも一方は、溝深さ（ｈａ），（ｈｂ）を梁金属管（Ｚ）の管外半径（Ｒ）より小さい寸法にすることで、図９（ｂ）に示すように、連結自在に配置した各管挟持金具（１），（２）にて、各平面端面（１１），（３１）間に隙間（γ）を形成できる。
【００５２】
各締結ボルト（３）は、図１及び図２に示すように、連結自在に配置した各管挟持金具（１），（２）において、ネジ軸（３Ａ）を各締結穴（１３），（３３）及び隙間（γ）に挿通する。各締結ボルト（３）は、ネジ頭部（１７Ｂ）を管挟持金具（２）のフランジ平板部（２７）に当接し、及びネジ軸（３Ａ）を管挟持金具（１）のフランジ平板部（７）外側に突出する。
【００５３】
各締結ナット（４）は、図１及び図２に示すように、連結自在に配置した各管挟持金具（１），（２）において、各フランジ平板部（７）外側に突出するネジ軸（３Ａ）に螺着される。
これにより、各締結ボルト（３）及び各締結ナット（３）は、各管止部（５），（２５）の継手中心線（ａ），（ｂ）周りに等間隔［角度：９０°間隔］を隔てて配置される。各締結ボルト（３）及び各締結ナット（３）は、各管挟持部（６），（２６）間の中央に配置される。
【００５４】
管継手（Ｘ）は、各締結ボルト（３）及び各締結ボルト（４）を回転し、各締結ボルト（３）及び各締結ナット（４）の締付けにて、各梁金属管（Ｚ）を連結（固定）する。
管挟持金具（２）において、各管溝部（２８）の溝内周面は、各締結ボルト（３）及び各締結ナット（４）の締付けにて、継手中心線（ａ），（ｂ）方向から梁金属管（Ｚ）外周に押付けられる。
これにより、連結自在に配置した各管挟金具（１），（２）において、各管挟持部（６），（２６）は、各梁金属管（Ｚ）の一方の管端部（１０Ａ）又は（１０Ｂ）を挟持する。
各管挟持部（６），（２６）は、連結自在に配置した各管挟持金具（１），（２）間において、各締結ボルト（３）及び各締結ボルト（４）の締付力によって、複数（４本）の梁金属管（Ｚ）を連結する。
各締結ボルト（３）及び各締結ナット（４）は、各平面端面（１１），（３１）間に隙間（γ）を形成することで、各管挟持部（６），（２６）を締付ける。
【００５５】
管継手（Ｘ）では、４つの管収納空間（Ｕ）に４本の梁金属管（Ｚ）を収納して、４本の梁金属管（Ｚ）を連結でき、又は３つの管収納空間（Ｕ）に３本の梁金属管（Ｚ）を収納して３本の梁金属管（Ｚ）を連結できる。また、管継手（Ｘ）では、２つの管収納空間（Ｕ）に２本の梁金属管（Ｚ）を収納して、２本の梁金属管（Ｚ）を連結できる。
【００５６】
管継手（Ｘ）では、各管挟持金具（１），（２）において、管挟持部（６），（２６）及び管溝部（８），（２８）を２つ、３つ又は５つ以上備える構成も採用できる。
【００５７】
管継手（Ｘ）では、図１０乃至図１２に示すように、管挟持金具（２）において、各管溝部（２８）の溝断面を四角形の形状に形成する構成を採用できる。
各梁金属管（Ｚ）の管断面は、四角形及び半円形の連続する形状に形成する。各梁金属管（Ｚ）において、四角形管断面は、例えば、管幅（Ｓ）を外直径（Ｄ）と同一とし、及び管軸心線（ｃ）方向の管高さ（Ｌ）を外半径（Ｒ）とする［図１２（ｂ）参照］。
各管溝部（２８）において、四角形溝断面は、図１２（ｂ）に示すように、溝幅（Ｓ１）を管幅（Ｓ）より僅かに大きくする。また、四角形溝断面は、溝深さ（ｈｃ）を管高さ（Ｌ）より僅かに小さくする。各管溝部（２８）において、溝深さ（ｈｃ）は、管止部（２５）の継手中心線（ｂ）方向、即ち管溝部（２８）の延在方向に直交する方向において、平面端面（３１）からの深さである。
【００５８】
連結自在に配置した各管挟持金具（１），（２）にて、管挟持金具（２）の各管溝部（２８）は、図１０及び図１１に示すように、四角形溝内周面を梁金属管（Ｚ）の四角形管外周面に当接し、及び管挟持金具（１）の各管溝部（８）は、半円形溝断面を梁金属管（Ｚ）の半円形管外周面に当接して、各管収納空間（Ｕ）に梁金属管（Ｚ）の一方の管端部（ＺＡ）又は（ＺＢ）を配置（収納）する。各平面端面（１１），（３１）間には隙間（γ）が形成される。
連結自在に配置した各管挟持金具（１），（２）間において、各管挟持部（８），（２８）は、各締結ボルト（３）及び各締結ナット（３）で締付けられ、各管収納空間（Ｕ）内に配置した梁金属管（Ｚ）の一方の管端部（ＺＡ）又は（ＺＢ）を挟持し、これにより管継手（Ｘ）は複数の梁金属管（Ｚ）を連結する。
【００５９】
連結自在に配置した各管挟持金具（１），（２）にて、各平面端面（１１），（３１）間に隙間（γ）を形成するには、管溝部（８），（２８）は、溝深さ（ｈａ），（ｈｃ）の合計値（ｈｔ１＝ｈａ＋ｈｃ）を梁金属管（Ｚ）の外形寸法（Ｎ＝Ｒ＋Ｌ）より小さくする（ｈｔ１＜Ｎ）。
【００６０】
このように、管挟持金具（２）において、各管溝部（２８）の溝断面を四角形の形状に形成することで、四角形管断面を有する梁金属管（Ｚ）は、管軸心線（ａｚ）周りに回転しない。
【００６１】
＜太陽電池パネル支持架台（Ｙ）＞
次に、本考案に係る太陽電池パネル支持架台（Ｙ）について、図１３乃至図３１を参照して説明する。
なお、図１３乃至図３１において、図１乃至図９と同一符号は同一部材、同一構成である。
【００６２】
図１３乃至図１５において、太陽電池パネル支持架台（Ｘ）は、ソーラシェアリングシステムに適用され、耕作地又は耕作放棄地のフィールド（Ｆ）に複数の太陽電池パネル（Ｐ）を架設する。
太陽電池パネル支持架台（Ｙ）は、図１３乃至図１５に示すように、複数の支柱金属管（Ｍ）、複数の梁金属管（Ｚ）、複数の管継手（Ｘ）、複数の固定金属管（Ｗ）、複数の管クランプ（Ｋ）、及び複数の太陽電池パネル（Ｐ）を含んで構成される。
【００６３】
先ず、太陽電池パネル支持架台（Ｙ）を構成する、支柱金属管（Ｍ）、梁金属管（Ｚ）、管継手（Ｘ）、固定金属管（Ｗ）、管クランプ（Ｋ）及び太陽電池パネル（Ｐ）の具体的構造について、図１３乃至図１８を参照して説明する。
【００６４】
＜支柱金属管（Ｍ）＞
複数の支柱金属管（Ｍ）は、図１４及び図１５に示すように、例えば、汎用される単管（円筒金属管）で構成される。
各支柱金属管（Ｍ）は、図１９及び図２０に示すように、複数の管連結穴（４１），（４２）を有する。
各管連結穴（４１），（４２）は、支柱金属管（Ｍ）の管上端部（ＭＡ）及び管下端部（ＭＢ）に形成される。各管連結穴（４１），（４２）は、支柱金属管（Ｍ）の管軸心線（ｍ）に直交する方向において、支柱金属管（Ｍ）を貫通する。
【００６５】
＜梁金属管（Ｚ）＞
複数の梁金属管（Ｚ）は、複数の縦梁金属管（Ｚ１）及び複数の横梁金属管（Ｚ２）を構成する。各縦梁金属管（Ｚ１）、及び各横梁金属管（Ｚ２）は、例えば、汎用される単管（円筒金属管）で構成される。各梁金属管（Ｚ１），（Ｚ２）は、管外直径（Ｄ）として構成される［梁金属管（Ｚ）の管外半径（Ｒ）］。
【００６６】
＜管継手（Ｘ）＞
複数の管継手（Ｘ）は、図１乃至図９で説明したと同様、複数（一対）の管挟持金具（１），（２）で構成される。
【００６７】
＜固定金属管（Ｗ）＞
複数の固定金属管（Ｗ）は、図１３乃至図１５に示すように、例えば、汎用される単管（円筒金属管）で構成される。
【００６８】
＜管クランプ（Ｋ）＞
複数の管クランプ（Ｋ）は、図１６に示すように、台座平板（６１）、横梁管クランプ金具（６２）、及び複数（一対）の固定管クランプ金具（６３），（６４）を備える。
【００６９】
各管クランプ金具（６２），（６３），（６４）は、図１６に示すように、例えば、汎用される管クランプ金具で構成される。各管クランプ金具（６２），（６３），（６４）は、クランプ金具本体（６５）、クランプ部（６６）、クランプネジ軸（６７）及びクランプナット（６８）で構成される。
【００７０】
クランプ金具本体（６５）及びクランプ部（６６）は、旋回軸（７０）にて連結される。クランプ部（６６）は、旋回軸（７０）を基点としてクランプ金具本体（６５）に対して旋回する。クランプ金具本体（６５）及びクランプ部（６６）は、管挿入穴（６９）を形成する。
【００７１】
クランプネジ軸（６７）及びクランプナット（６８）は、旋回軸（７１）にて連結される。クランプネジ軸（６７）は、旋回軸（７１）を基点としてクランプ金具本体（６５）に対して旋回する。クランプネジ軸（６７）は、クランプ部（６６）の切込溝（７２）に脱着自在として挿入される。クランプネジ軸（６７）は、切込溝（７２）を挿通し、クランプ部（６６）外側に突出される。
クランプナット（６８）は、クランプ部（６６）外側に突出するクランプネジ軸（６７）に螺着される。
【００７２】
各管プランプ金具（６２），（６３），（６４）において、クランプ金具本体（６５）及びクランプ部（６６）は、クランプナット（６８）を回転し、クランプネジ軸（６７）及びクランプナット（６８）にて締付けられ、各横梁金属管（Ｚ２）及び固定金属管（Ｗ）を把持する［図２８及び図２９参照］。
【００７３】
横梁管クランプ金具（６２）は、台座平板（６１）裏面に配置される。横梁管クランプ金具（６２）において、クランプ金具本体（６５）は台座平板（６１）に固定される。
各固定管クランプ（６３），（６４）は、台座平板（６１）表面に配置される。各固定管クランプ金具（６３），（６４）において、クランプ金具本体（６５）は、台座平板（６１）に固定される。
【００７４】
横梁管クランプ金具（６２）は、管挿入穴（６９）の穴中心線（ｄ１）を、各固定管クランプ金具（６３），（６４）の管挿入穴（６９）の穴中心線（ｄ２），（ｄ３）に直交して台座平板（６１）に固定される。
各固定管クランプ金具（６３），（６４）は、横梁管プランプ金具（６２）の管中心線（ｃ１）に直交する方向において、間隔を隔てて配置される。各固定管クランプ金具（６３），（６４）は、各管挿入穴（６０）の穴中心線（ｄ２），（ｄ３）を一致して台座平板（６１）に固定される。
【００７５】
＜太陽電池パネル（Ｐ）＞
太陽電池パネル（Ｐ）は、図１７及び図１８に示すように、太陽電池アレイ（８１）及び矩形保持枠（８２）を備える。
太陽電池アレイ（８１）は、矩形保持枠（８２）内に配置され、矩形保持枠（８２）に保持される。
太陽電池パネル（Ｐ）は、パネル長手方向（Ｔ）にパネル全長（ＬＬ）、及びパネル長手方向（Ｔ）に直交するパネル幅方向（Ｈ）にパネル幅（ＨＬ）を有する。
【００７６】
矩形保持枠（７２）は、複数（一対）の取付レール（８３）、及び複数（２つ）の管クランプ金具（８５）を備える。
【００７７】
各取付レール（８３）は、図１７及び図１８に示すように、太陽電池パネル（Ｐ）裏面に配置される。各取付レール（８３）は、パネル長手方向（Ｔ）に間隔を隔てて配置され、パネル幅方向（Ｈ）にて矩形保持枠（８２）の各長枠材（８２Ａ）間に架設される。各取付レール（８３）は、各長枠材（８２Ａ）に固定される。
【００７８】
各管クランプ金具（８５）は、図１６で説明したと同様、例えば、汎用される管クランプ金具で構成する。各管クランプ金具（８５）は、クランプ金具本体（８６）及びクランプ部（８７）にて管挿入穴（８８）を形成する。
各管クランプ金具（８５）は、図１７及び図１８に示すように、パネル幅方向（Ｈ）中央に配置され、各取付レール（８３）に固定される。各管クランプ金具（８５）は、管挿入穴（８８）の穴中心線（ｅ）をパネル長手方向（Ｔ）に向けて、クランプ金具本体（８６）を各取付レール（８３）に固定する。
各管クランプ金具（８５）は、図１７に示すように、各穴中心線（ｅ）を一致して配置される。
【００７９】
次に、太陽電池パネル支持架台（Ｙ）の具体的構造（組立工程）について、図１３乃至図１５、図１９乃至図３１を参照して説明する。
なお、図１３乃至図１５、図１９乃至図３１において、図１乃至図９、及び図１６乃至図１８と同一符号は同一部材、同一構成である。
【００８０】
太陽電池パネル支持架台（Ｙ）において、複数の支柱金属管（Ｍ）は、図１３乃至図１５に示すように、耕作地又は耕作放棄地のフィールド（Ｆ）に立設する［支柱立設工程］。
【００８１】
各支柱金属管（Ｍ）は、図１３乃至図１５に示すように、複数列及び複数行に配置される。複数列及び複数行は、例えば、３列×３行であって、フィールド（Ｆ）の規模に対応して適宜選択される。
【００８２】
各列（ｑ１），（ｑ２），（ｑ３）及び各行（ｇ１），（ｇ２），（ｇ３）は、例えば、３本の支柱金属管（Ｍ）を有する。
各列（ｑ１），（ｑ２），（ｑ３）及び各行（ｇ１），（ｇ２），（ｇ３）において、各支柱金属管（Ｍ）は、列方向（Ｑ）及び行方向（Ｇ）に等間隔を隔てて配置される。
【００８３】
各支柱金属管（Ｍ）は、例えば、スクリュ基礎杭（９１）にてフィールド（Ｆ）に立設する［図１９参照］。
各スクリュ基礎杭（９１）は、図１４、図１５及び図１９に示すように、スクリュ杭金属板（９２）及び杭頭金属管（９３）で構成される。各スクリュ基礎杭（９２）は、スクリュ杭金属板（９２）をフィールド（Ｆ）中に打設（捻込む）し、杭頭金属管（９３）をフィールド（Ｆ）上に立設する。各支柱金属管（Ｍ）は、図１９に示すように、管下端部（ＭＢ）内に杭頭金属管（９３）を挿入する。
これにより、各支柱金属管（Ｍ）は、各スクリュ基礎杭（９１）を介在してフィールド（Ｆ）に立設される。
【００８４】
各支柱金属管（Ｍ）及び各スクリュ基礎杭（９１）は、図１９に示すように、固定ボルト（９４）及び固定ナット（９５）にて連結（固定）される。固定ボルト（９４）は、支柱金属管（Ｍ）の管軸心線（ｍ）に直交する方向において、管連結穴（４２）及び杭頭金属管（９３）を貫通する。固定ナット（９５）は、支柱金属管（Ｍ）から突出する固定ボルト（９４）に螺着される。
各支柱金属管（Ｍ）は、固定ボルト（９４）及び固定ナット（９５）の締付けにて、各スクリュ基礎杭（９１）に固定される。
【００８５】
支柱立設工程に続き、複数の管継手（Ｘ）において、管挟持金具（１）は、図２０乃至図２３に示すように、各支柱金属管（Ｍ）の管上端部（ＭＡ）に固定する［管挟持金具固定工程］。
【００８６】
各管継手（Ｘ）において、管挟持金具（１）は、図２０乃至図２３に示すように、継手固定突起部（１０）を各支柱金属管（Ｍ）の管上端（Ｍａ）に対峙して配置する。各管継手（Ｘ）の管挟持金具（１）は、継手固定突起部（１０）を各支柱金属管（Ｍ）の管上端部（ＭＡ）内に挿入して、各支柱金属管（Ｍ）の管上端（Ｍａ）に配置する。
各支柱金属管（Ｍ）は、図２０乃至図２３に示すように、管上端（Ｍａ）を管挟持金具（１）の管止部（５）に当接して、管挟持金具（１）を支持する。
【００８７】
各管継手（Ｘ）の管挟持金具（１）及び各支柱金属管（Ｍ）は、図２０乃至図２３に示すように、固定ボルト（９６）及び固定ナット（９７）にて固定（連結）される。固定ボルト（９６）は、支柱金属管（Ｍ）の管軸心線（ｍ）に直交する方向において、管連通穴（４１），（１６）を挿通して、支柱金属管（Ｍ）の管上端部（ＭＡ）及び継手固定突起部（１０）を貫通する。固定ボルト（９６）は、支柱金属管（Ｍ）外側に突出される。固定ナット（９７）は、支柱金属管（Ｍ）外側に突出する固定ボルト（９６）に螺着される。
これより、各管継手（Ｘ）の管挟持金具（１）は、固定ボルト（９６）及び固定ナット（９７）の締付けにて、各支柱金属管（Ｍ）の管上端部（ＭＡ）に固定（連結）される。
【００８８】
各管挟持金具（１）において、平面端面（１１）は、図２０乃至図２１に示すように、各支柱金属管（Ｍ）の管上端（Ｍａ）上側に位置し、及び各支柱金属管（Ｍ）の管軸心線（ｍ）に直交して配置される。
各管挟持金具（１）において、各管溝部（８）は、図２０乃至図２３に示すように、平面端面（１１）に開口し、各支柱金属管（Ｍ）の管軸心線（ｍ）に直交する列方向（Ｑ）又は行方向（Ｇ）に放射十字状に延在される。
【００８９】
管挟持金具固定工程に続き、複数の縦金属管（Ｚ１）、及び複数の横梁金属管（Ｚ２）は、図１３乃至図１５、図２０乃至図２３に示すように、各支柱金属管（Ｍ）間に架設する［梁金属管架設工程］。
【００９０】
各縦梁金属管（Ｚ１）は、図１３乃至図１５に示すように、各列（ｑ１），（ｑ２），（ｑ３）にて隣設する各支柱金属管（Ｍ）間に架設する。各縦梁金属管（Ｚ１）は、管軸心線（ｚ）を列方向（Ｑ）に向けて配置される。
各列（ｑ１），（ｑ２），（ｑ３）において、各縦梁金属管（Ｚ１）は、列方向（Ｑ）に複数（２本）、直列配置される。
【００９１】
各横梁金属管（Ｚ２）は、図１３乃至図１５に示すように、各行（ｇ１），（ｑ２），（ｑ３）にて隣設する各支柱金属管（Ｍ）間に架設する。各横梁金属管（Ｚ２）は、管軸心線（ｚ）を行方向（Ｇ）に向けて配置される。
各行（ｇ１），（ｑ２），（ｑ３）において、各横梁金属管（Ｚ２）は、行方向（Ｇ）に複数（２本）、直列配置される。
【００９２】
各梁金属管（Ｚ１），（Ｚ２）は、各交差点（Ａ），（Ｂ），（Ｃ）において、各管地祇手（Ｘ）の管挟持金具（１）にて支持される。
各交差点（Ａ），（Ｂ），（Ｃ）は、図１３に示すように、縦梁金属管（Ｚ１）の管軸心線（ｚ）及び横梁金属管（Ｚ２）の管軸心線（ｚ）の直交（交差）する点であり、各管継手（Ｘ）の管挟持金具（１）及び各支柱金属管（Ｍ）の配置点である。
【００９３】
交差点（Ａ）において、各管継手（Ｘ）の管挟持金具（１）は、図２０及び図２１に示すように、縦梁金属管（Ｚ１）の１本、及び横梁金属管（Ｚ２）の１本を支持する。
交差点（Ａ）において、縦梁金属管（Ｚ１）及び横梁金属管（Ｚ２）は、一方の管端部（ＺＡ）又は（ＺＢ）を各管溝部（８）内に配置する。
縦管金属管（Ｚ１）において、一方の管端部（ＺＡ）又は（ＺＢ）は、列方向（Ｑ）に延在する一方の管溝部（８）内に配置される。
横梁金属管（Ｚ２）において、一方の管端部（ＺＡ）又は（ＺＢ）は、行方向（Ｇ）に延在する一方の管溝部（８）内に配置される。
各管溝部（８）は、溝内周面を各管金属管（Ｚ１），（Ｚ２）外周に当接し、これにより、各管挟持部（６）は一方の管端部（ＺＡ）又は（ＺＢ）を支持する。
【００９４】
交差点（Ｂ）において、各管継手（Ｘ）の管挟持金具（１）は、図２２に示すように、縦梁金属管（Ｚ１）の１本及び横梁金属管（Ｚ２）の２本、又は縦梁金属管（Ｚ１）の２本及び横梁金属管（Ｚ２）の１本を支持する。
交差点（Ｂ）において、縦梁金属管（Ｚ１）及び横梁金属管（Ｚ２）は、図２２に示すように、一方の管端部（ＺＡ）又は（ＺＢ）を各管溝部（８）内に配置する。
縦管金属管（Ｚ１）１本の場合において、一方の管端部（ＺＡ）又は（ＺＢ）は、列方向（Ｑ）に延びる一方の管溝部（８）内に配置する。縦梁金属管（Ｚ１）２本の場合において、一方の管端部（ＺＡ）又は（ＺＢ）は、列方向（Ｑ）に延びる各管溝部（８）内に配置する。
横梁金属管（Ｍ）１本の場合において、一方の管端部（ＺＡ）又は（ＺＢ）は、行方向（Ｇ）に延在する一方の管溝部（８）内に配置する。横梁金属管（Ｚ２）２本の場合において、一方の管端部（ＺＡ）又は（ＺＢ）は、行方向（Ｇ）に延在する各管溝部（８）内に配置する。
各管溝部（８）は、溝内周面を各管金属管（Ｚ１），（Ｚ２）外周に当接し、これにより、各管挟持部（６）は一方の管端部（ＺＡ）又は（ＺＢ）を支持する。
【００９５】
交差点（Ｃ）において、各管継手（Ｘ）の管挟持金具（１）は、図２３に示すように、縦梁金属管（Ｚ１）の２本、及び横梁金属管（Ｚ２）の２本を支持する。
交差点（Ｃ）において、各縦梁金属管（Ｚ１）及び各横梁金属管（Ｚ２）は、図２３に示すように、一方の管端部（ＺＡ）又は（ＺＢ）を各管溝部（８）内に配置する。
各縦梁金属管（Ｚ１）において、一方の管端部（ＺＡ）又は（ＺＢ）は、行方向（Ｇ）に延在する各管溝部（８）内に配置する。
各横梁金属管（Ｚ２）において、一方の管端部（ＺＡ）又は（ＺＢ）は、行方向（Ｇ）に延在する各管溝部（８）内に配置する。
各管溝部（８）は、溝内周面を各梁金属管（Ｚ１），（Ｚ２）外周に当接し、これにより、各管挟持部（６）は一方の管端部（ＺＡ）又は（ＺＢ）を支持する。
【００９６】
梁金属管架設工程に続き、各管継手（Ｘ）は、図１３、図２４乃至図２７に示すように、縦梁金属管（Ｚ１）の１又は２本、及び横梁金属管（Ｚ２）の１又は２本を連結（固定）する［梁金属管連結工程］。
【００９７】
交差点（Ａ），（Ｂ），（Ｃ）において、各管継手（Ｘ）の管挟持金具（２）は、図２４乃至図２７に示すように、管挟持金具（１）上側に配置される。
各管継手（Ｘ）は、各管挟持金具（１），（２）間において、各管溝部（８），（２８）同士を対峙する。各管挟持金具（１），（２）間において、各管溝部（８），（２８）同士は、溝開口から対峙され、各梁金属管（Ｚ１），（Ｚ２）を収納する管収納空間（Ｕ）を区画する。
【００９８】
各管継手（Ｘ）は、各管挟持金具（１），（２）間において、各管止部（５），（２５）の平面端面（１１），（３１）同士、各管挟持部（６），（２６）の平面端面（１１），（３１）同士、及び各フランジ平板部（７），（２７）の平面端面（１１），（３１）同士を対峙する。
管挟持金具（２）において、各管溝部（８）は、図２４乃至２７に示すように、溝内周面を各梁金属管（Ｚ１），（Ｚ２）外周に当接する。
【００９９】
管挟持金具（２）において、継手連結突起（２９）は、管挟持金具（１）の継手連結穴（９）内に挿入する。
【０１００】
各管継手（Ｘ）は、各管挟持金具（１），（２）間において、各締結穴（１３），（３３）を連通する。各締結穴（１３），（３３）は、支柱金属管（Ｍ）の管中心線（ｍ）方向にて連通する。
【０１０１】
これにより、各管継手（Ｘ）は、各管挟持金具（１），（２）間において、各平面端面（１１），（３１）間に隙間（γ）を形成して、各梁金属管（Ｚ１），（Ｚ２）を連結自在に配置される。各梁金属管（Ｚ１），（Ｚ２）は、一方の管端部（ＺＡ），（ＺＢ）を管収納空間（Ｕ）に収納し、及び一方の管端（Ｚａ）又は（Ｚｂ）を各管止部（５），（２５）の各管止側平面（１２），（３２）に当接する。
【０１０２】
連結自在に配置した各管挟持金具（１），（１）において、各締結ボルト（３）は、図２４乃至図２７に示すように、ネジ軸（３Ａ）を各締結穴（１３），（３３）及び隙間（γ）に挿通する。各締結ボルト（３）は、ネジ頭部（３Ｂ）を管挟持金具（２）の各フランジ平板部（２７）に当接し、及びネジ軸（３Ａ）を管挟持金具（１）の各フランジ平板部（７）外側に突出する。
連結自在に配置した各管挟持金具（１），（２）において、各締結ナット（４）は、図２４乃至図２７に示すように、各フランジ平板部（７）外側に突出するネジ軸（３Ａ）に螺着される。
【０１０３】
各管継手（Ｘ）は、各締結ボルト（３）及び各締結ナット（４）を回転し、各締結ボルト（３）及び各締結ナット（４）の締付けにて、各梁金属管（Ｚ１），（Ｚ２）を連結（固定）する。
管挟持金具（２）において、各管溝部（２８）の溝内周面は、各締結ボルト（３）及び各締結ナット（４）の締付けによって、支柱金属管（Ｍ）の管軸心線（ｍ）方向から各梁金属管（Ｚ１），（Ｚ２）外周に押付けられる。
これにより、連結自在に配置した各管挟持金具（１），（２）間において、各管挟持部（６），（２６）は、各梁金属管（Ｚ１），（Ｚ２）の一方の管端部（ＺＡ）又は（ＺＢ）を挟持する。
各管継手（Ｘ）は、連結自在に配置した各管挟持金具（１），（２）において、各締結ボルト（３）及び各締結ナット（４）の締付力によって、各梁金属管（Ｚ１），（Ｚ２）を連結する。
各締結ボルト（３）及び各締結ナット（４）は、各平面端面（１１），（３１）間に隙間（γ）を形成することで、各管挟持部（６），（２６）を締付ける。
【０１０４】
交差点（Ａ）において、縦梁金属管（Ｚ１）の１本及び横梁金属管（Ｚ２）の１本は、図２４及び図２５に示すように、各梁金属管（Ｚ１），（Ｚ２）の一方の管端面（ＺＡ）又は（ＺＢ）を管収納空間（Ｕ）に収納する。
縦梁金属管（Ｚ１）の一方の管端部（ＺＡ）又は（ＺＢ）は、列方向（Ｑ）に延在する一方の管収納空間（Ｕ）内に配置される。
横梁金属管（Ｚ２）の一方の管端部（ＺＡ）又は（ＺＢ）は、行方向（Ｇ）に延在する一方の管収納空間（Ｕ）内に配置される。
交差点（Ａ）において、各管挟持部（６），（２６）は、図２４及び図２５に示すように、縦梁金属管（Ｚ１）の１本及び横梁金属管（Ｚ２）の１本について、一方の管端部（ＺＡ）又は（ＺＢ）を挟持して連結（固定）する。
交差点（Ａ）において、各梁金属管（Ｚ１），（Ｚ２）の一方の管端（Ｚａ）又は（Ｚｂ）は、図２４及び図２５に示すように、各管止部（５），（２５）の各管止側平面（１２），（３２）に当接する。
【０１０５】
交差点（Ｂ）において、縦梁金属管（Ｚ１）の２本及び横梁金属管（Ｚ２）の１本、又は縦梁金属管（Ｚ１）の１本及び横梁金属管（Ｚ２）の２本は、図２６に示すように、一方の管端部（ＺＡ）又は（ＺＢ）を管収納空間（Ｕ）内に収納する。
縦梁金属管（Ｚ１）１本の場合において、一方の管端部（ＺＡ）又は（ＺＢ）は、列方向（Ｑ）に延在する一方の管収納空間（Ｕ）内に配置される。縦梁金属管（Ｚ１）２本の場合において、一方の管端部（ＺＡ）又は（ＺＢ）は、列方向（Ｑ）に延在する各管収納空間（Ｕ）内に配置される。
横梁金属管（Ｚ２）１本の場合において、一方の管端部（ＺＡ）又は（ＺＢ）は、列方向（Ｇ）に延在する一方の管収納空間（Ｕ）内に配置される。横梁金属管（Ｚ２）２本の場合において、一方の管端部（ＺＡ）又は（ＺＢ）は、行方向（Ｇ）に延在する各管収納空間（Ｕ）内に配置される。
交差点（Ｂ）において、各管挟持部（６），（２６）は、図２６に示すように、縦梁金属管（Ｚ１）の２本及び横梁金属管（Ｚ２）の１本、又は縦梁金属管（Ｚ１）の１本及び横梁金属管（Ｚ２）の２本について、一方の管端部（ＺＡ）又は（ＺＢ）を挟持して連結（固定）する。
交差点（Ｂ）において、各梁金属管（Ｚ１），（Ｚ２）の一方の管端（Ｚａ）又は（Ｚｂ）は、図２６に示すように、各管止部（５），（２５）の各管止側平面（１２），（３２）に当接する。
【０１０６】
交差点（Ｃ）において、縦梁金属管（Ｚ１）の２本及び横梁金属管（Ｚ２）の２本は、図２７に示すように、各梁金属管（Ｚ１），（Ｚ２）の一方の管端面（ＺＡ）又は（ＺＢ）を管収納空間（Ｕ）に収納する。
各縦梁金属管（Ｚ１）の一方の管端部（ＺＡ）又は（ＺＢ）は、列方向（Ｑ）に延在する各管収納空間（Ｕ）内に配置される。
各横梁金属管（Ｚ２）の一方の管端部（ＺＡ）又は（ＺＢ）は、行方向（Ｇ）に延在する各管収納空間（Ｕ）内に配置される。
交差点（Ｃ）において、各管挟持部（６），（２６）は、図２７に示すように、縦梁金属管（Ｚ１）の２本及び横梁金属管（Ｚ２）の２本について、一方の管端部（ＺＡ）又は（ＺＢ）を挟持して連結（固定）する。
交差点（Ｃ）において、各梁金属管（Ｚ１），（Ｚ２）の一方の管端（Ｚａ）又は（Ｚｂ）は、図２７に示すように、各管止部（５），（２５）の各管止側平面（１２），（３２）に当接する。
【０１０７】
梁金属管連結工程において、各管継手（Ｘ）は、図１３乃至図１５に示すように、隣設する各支柱金属管（Ｍ）開に複数の縦梁金属管（Ｚ１）及び複数の横梁金属管（Ｚ２）を架設する。各梁金属管（Ｚ１），（Ｚ２）において、図２０乃至図２７に示すように、各管端部（ＺＡ），（ＺＢ）を各管継手（Ｘ）に連結して、隣設する各支柱金属管（Ｍ）間に架設される。
【０１０８】
梁金属管連結工程に続き、複数の管クランプ（Ｋ）は、図１３乃至図１５に示すように、各横梁金属管（Ｚ２）に固定する［管クランプ固定工程］。
【０１０９】
各管クランプ（Ｋ）は、図１３乃至図１５に示すように、行方向（Ｇ）［横梁金属管（Ｚ２）の管軸心（ｚ）方向］に固定ピッチ（Ｐａ）を隔てて位置して、各横梁金属管（Ｚ２）に配置される。
【０１１０】
各管プランプ（Ｋ）において、横梁管クランプ金具（６２）は、図２８及び図２９に示すように、クランプ金具本体（６５）及びクランプ部（６６）にて、各横梁金属管（Ｚ２）を把持する。各横梁管クランプ金具（６２）は、クランプネジ軸（６７）及びクランプナット（６８）の締付けにて各横梁金属管（Ｚ２）を把持する。
各横梁金属管（Ｚ２）は、図２８及び図２９に示すように、各横梁管クランプ金具（６２）の管挿入穴（６９）を挿通する。
各横梁管クランプ金具（６２）において、管挿入穴（６９）の穴中心線（ｄ１）は、各横梁金属管（Ｚ１）の管軸心線（ｚ）に一致する。
【０１１１】
管クランプ固定工程において、各管クランプ（Ｋ）は、図１３乃至図１５に示すように、各横梁金属管（Ｚ２）に固定（連結）され、及び各横梁金属管（Ｚ２）の管軸心線（ｚ）方向に固定ピッチ（Ｐａ）を隔てて配置される。
各管クランプ（Ｋ）において、各固定管クランプ金具（６３），（６４）は、図２８及び図２９に示すように、管挿入穴（ｄ２），（ｄ３）を列方向（Ｑ）に向けて配置される。
【０１１２】
管クランプ固定工程に続き、複数の固定金属管（Ｗ）は、図１３乃至図１５に示すように、隣設する各縦梁金属管（Ｚ１）間に平行配置し、各縦梁金属管（Ｚ１）間にて隣設する各横梁金属管（Ｚ２）間に架設する［固定管架設工程］。
【０１１３】
各固定金属管（Ｗ）は、管軸心線（ｗ）を各横梁金属管（Ｚ２）の管軸心線（ｚ）に直交して列方向（Ｑ）に延在される。各固定金属管（Ｗ）は、列方向（Ｑ）にて複数（２本）、直列配置される。
各固定金属管（Ｗ）は、図１３及び図１５に示すように、行方向（Ｇ）にて各管クランプ（Ｋ）に配置される。
これにより、各固定金属管（Ｗ）は、行方向（Ｇ）に固定ピッチ（Ｐａ）を隔てて平行配置される。
【０１１４】
各固定金属管（Ｗ）ば、図１３に示すように、交差点（α），（β）において、各管クランプ（Ｋ）に把持（支持）される。
交差点（α），（β）は、各固定金属管（Ｗ）の管軸心線（ｗ）、及び各横梁金属管（Ｚ２）の管軸心線（ｚ）の直交（交差）する点であり、各横梁金属管（Ｚ２）に固定した各管クランプ（Ｋ）の配置点である。
【０１１５】
交差点（α）において、各管クランプ（Ｋ）は、図２８に示すように、固定金属管（Ｗ）の１本を支持（把持）する。
交差点（α）において、一方の固定管クランプ金具（６３）又は（６４）は、クランプ金具本体（６５）及びクランプ部（６６）にて、固定金属管（Ｗ）の管端部を把持する。一方の固定管クランプ金具（６３）又は（６４）は、クランプネジ軸（６７）及びクランプナット（６８）の締付けにて固定金属管（Ｗ）を把持する。
各固定金属管（Ｗ）は、図２８に示すように、一方の固定管クランプ金具（６３）又は（６４）の管挿入穴（６９）を挿通する。
一方の固定管クランプ金具（６３）又は（６４）において、管挿入穴（６９）の穴中心線（ｄ２）又は（ｄ３）は、各固定金属管（Ｗ）の管軸心線（ｗ）に一致する。
【０１１６】
交差点（β）において、各管プランプ（Ｋ）は、図２９に示すように、各横梁金属管（Ｚ２）の管軸心線（ｚ）に直交する方向［列方向（Ｑ）］にて隣設する各固定金属管（Ｗ）の２本を支持（把持）する。隣設する各固定金属管（Ｗ）は、図１３及び図２９に示すように、各横梁金属管（Ｚ２）の管軸心線（ｚ）を境にして、列方向（Ｑ）に直列配置される。
交差点（β）において、各固定管クランプ金具（６３），（６４）は、図２９に示すように、クランプ金具本体（６５）及びクランプ部（６６）にて、隣設する各固定金属管（Ｗ）の管端部を把持する。各固定管クランプ金具（６３），（６４）は、クランプネジ軸（６７）及びクランプナット（６８）の締付けにて、各固定金属管（Ｗ）を把持する。
各固定金属管（Ｗ）は、各固定管クランプ金具（６３），（６４）の管挿入穴（６９）を挿通する。
各固定管クランプ金具（６３），（６４）において、管挿入穴（６９）の穴中心線（ｄ２），（ｄ３）は、隣設する各固定金属管（Ｗ）の管軸心線（ｗ）に一致する。
【０１１７】
固定管架設工程において、各管クランプ（Ｋ）は、図１３乃至図１５、図２８及び図２９に示すように、各固定金属管（Ｗ）を各横梁金属管（Ｗ）に固定する。
これにより、各固定金属管（Ｗ）は、図１３及び図１５に示すように、行方向（Ｇ）［横梁金属管（Ｚ２）の管軸心線（ｚ）方向］に固定ピッチ（Ｐａ）を隔てて配置される。
【０１１８】
固定管架設工程に続き、複数の太陽電池パネル（Ｐ）は、図１３乃至図１５に示すように、各固定金属管（Ｗ）に固定する［パネル固定工程］。
【０１１９】
太陽電池パネル（Ｐ）は、図１３乃至図１５に示すように、各固定金属管（Ｗ）に複数、例えば３つ配置される。
【０１２０】
各固定金属管（Ｗ）において、各太陽電池パネル（Ｐ）は、図１３及び図１２に示すように、パネル長手方向（Ｔ）を列方向（Ｑ）［管軸心線（ｗ）方向］に向けて配置される。各太陽電池パネル（Ｐ）は、列方向（Ｑ）に縦射光間隔（σ）を隔てて配置される。
【０１２１】
各固定金属管（Ｗ）間において、隣設する各太陽電池パネル（Ｐ）は、図１３及び図１５に示すように、行方向（Ｇ）［横梁金属管（Ｚ２）の管軸心線（ｚ）方向］に横射光間隔（δ）を隔てて配置される。
各管クランプ（Ｋ），各固定金属管（Ｗ）において、固定ピッチ（Ｐａ）は、行方向（Ｇ）にて隣設する各太陽電池パネル（Ｐ）間に横射光間隔（δ）を形成する間隔とする。固定ピッチ（Ｐａ）は、Ｐａ＝ＨＬ＋δとする。なお、ＨＬはパネル幅、δは横射光間隔である。
【０１２２】
各太陽電池パネル（Ｐ）は、図３０及び図３１に示すように、各管クランプ金具（８５）にて各固定金属管（Ｗ）に固定される。各管クランプ金具（８５）は、クランプ金具本体（８６）及びクランプ部（８７）にて各固定金属管（Ｗ）を把持する。
各固定金属管（Ｗ）は、各管クランプ金具（８５）の管挿入穴（８８）を挿通する。各管クランプ金具（８５）において、管挿入穴（８８）の穴中心線（ｅ）は、各固定金属管（Ｗ）の管軸心線（ｅ）に一致する。
【０１２３】
パネル固定工程において、複数の太陽電池パネル（Ｐ）は、各固定金属管（Ｗ）に固定される。
【０１２４】
以上の構造において、太陽電池パネル支持架台（Ｙ）は、図１３乃至図１５に示すように、複数の太陽電池パネル（Ｐ）を耕作地又は耕作放棄地のフィールド（Ｆ）上に架設する。
太陽電池パネル支持架台（Ｙ）において、隣設する各太陽電池パネル（Ｐ）は、列方向（Ｑ）に縦射光間隔（σ）を隔てて、及び行方向（Ｇ）に横射光間隔（δ）を隔てて架設され、ソーラシェアリングシステムとして適用できる。
太陽電池パネル支持架台（Ｙ）において、太陽光は、各太陽電池パネル（Ｐ）の太陽電池アレイ（８１）に照射され、及び各照射間隔（σ），（δ）からフィールド（Ｐ）に注がれる。
【０１２５】
太陽電池パネル支持架台（Ｙ）では、図１５に示すように、行方向（Ｇ）において、隣設する支柱金属管（Ｍ）間に２本の補強梁金属管（Ｖ）を架設する構成も採用できる。各補強梁金属管（Ｖ）は、例えば単管（円筒管）で構成され、二連自在クランプ（１０１）にて各支柱金属管（Ｍ）に固定する。
【０１２６】
太陽電池パネル支持架台（Ｙ）では、図１０乃至図１２で説明したと同様の管継手（Ｘ）、縦梁金属管（Ｚ１）及び横梁金属管（Ｚ２）を構成する梁金属管（Ｚ）を採用できる。
【産業上の利用可能性】
【０１２７】
本考案は、耕作地又は耕作放棄地等のフィールドに太陽電池パネルを架設するのに最適である。
【符号の説明】
【０１２８】
Ｘ  管継手
Ｙ  太陽電池パネル支持架台
Ｍ  支柱金属管
Ｚ１  縦梁金属管
Ｚ２  横梁金属管
Ｋ  管プランプ
Ｗ  パネル固定金属管
Ｐ  太陽電池パネル
１，２  管挟持金具
３  締結ボルト
４  締結ナット
６，２６  管挟持部
７，２７  フランジ平板部
８，２８  管溝部
【図１】
0003195363.tif 000003
【図２】
0003195363.tif 000004
【図３】
0003195363.tif 000005
【図４】
0003195363.tif 000006
【図５】
0003195363.tif 000007
【図６】
0003195363.tif 000008
【図７】
0003195363.tif 000009
【図８】
0003195363.tif 000010
【図９】
0003195363.tif 000011
【図１０】
0003195363.tif 000012
【図１１】
0003195363.tif 000013
【図１２】
0003195363.tif 000014
【図１３】
0003195363.tif 000015
【図１４】
0003195363.tif 000016
【図１５】
0003195363.tif 000017
【図１６】
0003195363.tif 000018
【図１７】
0003195363.tif 000019
【図１８】
0003195363.tif 000020
【図１９】
0003195363.tif 000021
【図２０】
0003195363.tif 000022
【図２１】
0003195363.tif 000023
【図２２】
0003195363.tif 000024
【図２３】
0003195363.tif 000025
【図２４】
0003195363.tif 000026
【図２５】
0003195363.tif 000027
【図２６】
0003195363.tif 000028
【図２７】
0003195363.tif 000029
【図２８】
0003195363.tif 000030
【図２９】
0003195363.tif 000031
【図３０】
0003195363.tif 000032
【図３１】
0003195363.tif 000033